(57)【要約】【課題】地機と呼ばれる手織機において、織り作業における織り手の体の動きを従来に比して楽なものとするとともに、織り作業の中断時や再開時に巻き棒の処置に手間のかからない地機を、簡易な構造で実現した地機を提供することを目的とする。【解決手段】地機において、巻き棒が回転しないように、かつ着脱可能に支持する支持アームを、織り手側にのみ遥動するように地機のフレームに設けるとともに、糸綜絖を吊り上げる踏み板を設けて糸綜絖の吊り上げを踏み込み式とした。【選択図】図１
0003111963.tif 000002
【実用新案登録請求の範囲】
【請求項１】
地機であって、巻き棒を角形とし、該巻き棒を回転不可かつ着脱可能に支持する支持アームをフレームに設けたことを特徴とする地機。
【請求項２】
前記支持アームが、地機のフレームに立設されるとともに直立状態から織り手側にのみ遥動することを特徴とする請求項１に記載の地機。
【請求項３】
踏み板を地機のフレーム内側の下方に有し、該踏み板の動きに連動して糸綜絖を吊り上げる機構を有することを特徴とする請求項１または請求項２に記載の地機。
【請求項４】
織り手が腰かけに座って足が届く位置であってフレームの内側下方織り手の前方に踏み板をひとつと、該踏み板と糸綜絖とを一本以上をもって連結する紐と、前出踏み板上方および糸綜絖上方に前出紐が接しまたは巻きつけられて軸回転する丸棒とを有し、踏み板を踏み込むことで丸棒を経由した紐が糸綜絖を吊り上げる構造を有する請求項１ないし請求項２に記載の地機。
【請求項５】
前記支持アームを、織り手の左右の地機のフレームに各々設けたことを特徴とする請求項１ないし４に記載の地機。
【考案の詳細な説明】
【技術分野】
【０００１】
本考案は、地機と呼ばれる手織機の改良に関し、さらに詳しくは、巻き棒を支持するアームを設けた地機に関する。
【背景技術】
【０００２】
手織機は、機の形や状態などからいくつかの種類に分けられる。
一般に広く知られている手織機は、高機（たかばた）とよばれるもので、踏木を足で踏んで複数の綜絖を強制的に昇降させる構造である（特許文献１参照）。
また、低い台や地面あるいは床に座りながら作業をする、地機（じばた）と呼ばれる手織機が知られている（図２参照)。地機は、高機よりも歴史は古く、高機との構造上の大きな違いとしては、糸綜絖がひとつであること、足引き紐（足掛けともいう）を足で引っ張ることで下経糸が掛かる糸綜絖を吊り上げる構造となっていること、筬が織機のフレームに固定されていないことがあげられる。
【０００３】
地機を利用した織り方について記す。なお、経糸を男巻に巻いたり、糸綜絖に下経糸を取り付ける等の前準備については省略する。
腰当てを巻いた織り手が、経糸を緩めるために上体を前方に傾けながら、足にくくりつけた足引き紐を織り手寄りに引くと、まねきの足引き紐取り付け側が下方に引き下げられ、まねきの他方の端付近に紐でぶら下げてある糸綜絖を吊り上げる（図３参照）。
糸綜絖には、掛糸に下経糸が通してあり、糸綜絖が吊り上げられると、それまで上経糸の下方に位置していた下経糸が、上経糸の上方に引き上げられる。この時、下経糸と上経糸との間にできた開口に、織り込む素材である糸や裂いた布などを巻いた杼を通し、筬を手前に引き寄せて締めこむ（打ち込みともいう)。
次に、脚を伸ばして足引きひもを緩めながら織り手の上体を後方に傾けて経糸に張力をかけると、糸綜絖が下がり、引き上げられていた下経糸が上経糸の下方に戻る。この時にできる開口に織り込む素材を通して筬で締めこむ。
この一連の動作を繰り返すことで織っていき、織り進んだ分は、適宜巻き棒に巻き取る。
織り手による経糸への張力の賭け具合によって、織り上がる織物の質感や感触が異なることが、地機を利用した織物の特色ともなっている。
【０００４】
しかし、このような従来の地機を用いての手織りでは、足引きひもを手前に引きながら上体を前方に傾けるという相反する動作が必要なことや、作業中は常に織り手が経糸の張力調整を体の前後傾倒や座る位置によって行う必要があり、織り手の疲労は少なくない。
また、織り進んだ分を巻き棒に巻く場合、巻き部分が戻らないように止めている棒（以下「止め棒」と記す)を外して織り進んだ分を巻き棒に巻き、再度止め棒を巻き棒に取付ける必要がある。また、織り作業の再開時には、前回の中断時と同様の張力を経糸に与える必要があることから、織り手の座る位置や上体の傾きを適宜調整する必要があり、手間がかかっていた。
【０００５】
【特許文献１】特開２００２−２６６１９７号公報  （第６頁、図４)
【考案の開示】
【考案が解決しようとする課題】
【０００６】
本考案は上記事情に鑑み、織り作業時の織り手の体の動きを楽なものとするとともに、織り進んだ分を巻き棒に巻き取る作業や、織り作業の再開始時および中断時に手間がかからない地機を提供することを目的とする。
【課題を解決するための手段】
【０００７】
本願において、フレームとは地機の骨組みを表す。
【０００８】
請求項１に記載の考案は、地機において、巻き棒の断面形状を角形とし、該巻き棒を回転不可かつ着脱可能に支持する支持アームを地機のフレームに設けたことを特徴とする。
【０００９】
請求項２に記載の考案は、請求項１に記載の地機において、直立状態から織り手側にのみ遥動するように地機のフレームに支持アームを立設したことを特徴とする。
【００１０】
請求項３に記載の考案は、請求項１または請求項２に記載の地機において、踏み板を地機のフレーム内側の下方に有し、該踏み板の動きに連動して糸綜絖を吊り上げる機構を有することを特徴とする。
【００１１】
請求項４に記載の考案に係る地機は、請求項１ないし請求項２に記載の地機において、織り手が腰かけに座って足が届く位置であってフレームの内側下方織り手の前方に踏み板をひとつと、該踏み板と糸綜絖とを一本以上をもって連結する紐と、前出踏み板上方および糸綜絖上方に前出紐が接しまたは巻きつけられて軸回転する丸棒とを有し、踏み板を踏み込むことで丸棒を経由した紐が糸綜絖を吊り上げる構造を有することを特徴とする。
【００１２】
請求項５に記載の考案は、支持アームを織り手の左右のフレームそれぞれに設けたことを特徴とする請求項１ないし４に記載の地機である。
支持アームの数は、合わせて少なくとも２本である。
【考案の効果】
【００１３】
請求項１に記載の考案によれば、織り進んだものを巻き棒に巻くときに、支持アームから外した巻き棒を適宜回転させて織り進んだ分を巻いたのち、支持アームの巻き棒支持部分に該巻き棒を装着するだけでよく、巻き取り作業が容易に行える。
【００１４】
請求項２に記載の考案によれば、巻き棒を支持しているアームが、立状態から織り手側にのみ傾倒遥動する構造であることから、腰当てを外すと支持アームが地機の水平フレームに対して立状態で巻き棒を保持し続けるので、容易に作業を中断して離れることができる。また、作業再開時には、腰当てを体に装着するだけで、すぐに織り始めることができる。
【００１５】
請求項３に記載の考案によれば、巻き棒支持アームとともに踏み板を設けたので、下経糸を吊り上げるときの織り手の動作は、踏み板を踏み込みながら上体を前方へ傾けるという動作であり、従来の地機における足を引きながら上体を前方へ傾ける動作に比して楽であり、疲労の軽減になる。疲労の軽減は、作業効率の向上を図ることにもつながる。
【００１６】
請求項４に記載の考案によれば、紐と回転軸を用いた簡易な構造によって、踏み板と連動して糸綜絖を吊り上げることを実現している。これは、本考案に係る地機を低コストで作成可能とするものである。
【００１７】
請求項５に記載の考案によれば、支持アームを織り手の左右のフレームのそれぞれに設けたので、経糸からの張力がふたつに分散され、簡易な構造の支持アームであっても巻き棒の支持が確実に行えるとともに、織り手の邪魔にならない構成とすることができる。
【考案を実施するための最良の形態】
【００１８】
つぎに、本考案の実施形態に係る地機を図面に基づいて説明する。
なお、本実施形態の地機は、従来と同様に木製である。勿論、他の素材を用いて作成することや、複数の素材を用いて作成することは可能である。
当然ながら、本考案の技術的範囲はこの実施形態に限定されるものではない。
【００１９】
図１は、本考案の実施形態に係る地機の側面図である。主要な構成物である男巻、糸綜絖、筬、腰かけ、経糸については図２に見られる従来の地機と大きな違いはない。また、本実施形態に係る地機の大きさは、図１の側面図において、左右（機の全長）１メートル程度、高さ１メートル程度、奥行き（機の巾）７０センチメートル程度である。
【００２０】
図４が本考案に係る支持アームを表す図である。
最下の水平フレーム１に立設しさらに二段目の水平フレームから適宜突き出した支柱２を左右各々に設ける。この支柱は、フレームの内側あるいは外側に出っ張る形で設けることも可能であるが、本実施例においては、巻き棒１０を支持する支持アーム３を取付けた場合の強度を考慮して、フレームの外側を切り欠いた部分に嵌め込んで取付けてある。
支柱２には、長方形の板体からなる支持アーム３を底辺面がフレームに接するように支点ピン７で遥動可能に取り付ける。この支持アームは、フレームに接する底辺の角のうち、織り手側の角を斜めに切り欠いてある。この切り欠き８によって、支持アームが織り手側にのみ遥動可能である。そのため、支点ピン７の取り付け位置も、適宜織り手側に寄せてある（図５参照)。
支持アームのフレームへの取り付けは、支柱を介さない方法も考えられる。たとえば、フレームに直接支持アームをピンやネジで取り付け、該支持アームが必要以上に遥動しないようにストッパー機構を有する構造からなるものである。しかしながら、巻き棒を支持する必要から強度の点で難点があることや、ストッパー機構を別途に設ける必要があり、構造が複雑なものとなることが予想される。
本実施形態では、支持アームを織り手の前方左右に２本設けているが、織り手の前方に１本を設ける構造も考えられる。１本の場合、経糸の張力に対する強度を要することと、脚の動作に支障がない構造とする必要かある。
【００２１】
支持アーム３の上部には、断面形状が四角形の巻き棒１０を保持するための溝１９を内側に設ける。この溝１９は、巻き棒１０がはめ込み可能な大きさであり、コの字形状を適宜傾けた形の切り欠きを有する板体を支持アームに取付けることで形成している。この溝がコの字状であることから、嵌め込んだ巻き棒は回転しない。
この溝１９の形成は、別体の板体を用いずに、支持アーム３に直接溝を設けてもよいが、本実施例によるほうが簡単に作成できる。
支持アームの別な形状としては、溝によって巻き棒を保持するのではなく、適宜傾けて設けたコの字型の切り欠きを設けて支持することも考えられる。また、支持アームの素材やフレームへの取り付け手段によっては、支持アームに巻き棒が貫通する孔を設けて、巻き棒を支持する構成も考えられる。
【００２２】
巻き棒１０には、腰当て１１が取付けられている(図１および図７参照)。巻き棒の両端付近にそれぞれ紐を環状にして取り付けるとともに、腰当ての両端から伸ばしたフックを該環状の紐に引っ掛けて用いる。織り作業を中断する場合は、単にフックを外すだけでよい。
【００２３】
踏み板４は、織機のフレームの内側下方、織り手が腰かけ１２に座ったときに踏み込み可能な位置に設ける。踏み板には上部位置に小穴を設け、該小穴には紐５を２本取付けてある（図６参照）。踏み板の下端は、織機を設置した床に接してもよい。
図６が、踏み板４の上部位置に設けた小穴に一端を結んだ紐５が、踏み板上方の棒に結ばれ、また別の紐が該棒から該棒の上方に設けた丸棒６と糸綜絖１４の上方に設けた丸棒６を経由して糸綜絖１４に繋がっていることを示す図である。
本実施例においては、踏み板に取付ける紐を２本としているが、糸綜絖１４まで１本とすることや、１本の紐を糸綜絖までの途中で２本に分ける構造とすることも考えられる。
丸棒６は、上方の水平フレームに、軸回転可能かつ位置が移動しないように突設物で挟み込んである。無論、丸棒の位置が移動しないようにできれば、打ち込んだ釘によって挟み込んだり、ギリシア文字の大文字のオーム字形をした用具で柴田のフレームに止めてもよい。また、本考案に係る地機の上方の水平フレームから小型の滑車を吊り下げて、該滑車に紐を通す構造も考えられる。
【００２４】
図７は、織り手の体の動きと糸綜絖が吊り上げられて下経糸が引き上げられることを示した図である。地機のフレームについては適宜省略してある。図中の矢印は、踏み板４を踏み込んだときの紐の移動方向を示すものである。また、破線で表示されている部分は、踏み板を踏み込んだときの織り手の体の動きと、下経糸２１が上経糸２０の上側に吊り上げられる状態を表している。
図７を参照しながら、中断した織作業を再開する場面を想定して説明する。なお、織作業を新たにはじめる場合の男巻への経糸の巻きつけや糸綜絖への下経糸の吊り下げ等の前準備については従来と同様である。
【００２５】
織り手は、腰かけ１２に座り、腰当て１１を体に回し、腰当てのフックを巻き棒１０に取付けた環状の紐に引っ掛けて織作業に入る。巻き棒１０を保持した支持アーム３は、支柱２の上方に糸綜絖側へは傾かないように取付けられているため、経糸への張力は中断時と同様の張力を維持しており、単に腰当てを体に取り付けるだけで作業の再開ができる。
踏み板１４を踏み込みながら上体を前傾させて経糸（２０および２１)への張力を緩めると、紐５が引っ張られて糸綜絖１４が吊り上げられ、糸綜絖に吊られている下経糸２１が引き上げられる(図７の破線状態)。この時に上経糸２０および下経糸２１および筬１４によって形作られる開口に杼を通し、筬を織り手の方向に引きつけて締め込む（打ち込む）。
踏み板の踏み込みは、杼を通した後に緩める。
筬による織り込み後、上体を後方に傾けると、巻き棒から延びた経糸に張力がかかる。この張力によって、上経糸の上側にいた下経糸は、元の位置である上経糸の下方に戻る。このときにできる開口に杼を通し、筬を手前に引いて締め込む。
織り進んだ分は、巻き棒に巻き取ることとなるが、この作業は、男巻１３に取付けた歯車を掛止するストッパー７を緩め、適宜経糸を繰り出してストッパーで男巻の回転を止め、支持アーム３から巻き棒１０を外して織り進んだ分を適宜巻いた後、アームの溝に巻き棒を嵌めこむ。また、織作業を中断する場合は、単に腰当てのフックを巻き棒に取付けた環状の紐から外すだけである。
【図面の簡単な説明】
【００２６】
【図１】本考案による地機の簡略的な側面図である。
【図２】従来の地機において、足引き紐を引いていないときの図である。
【図３】従来の地機において、足引き紐を引いて下経糸を吊り上げた状態を表す図である。
【図４】本考案による巻き棒支持アームの図である。
【図５】本考案による巻き棒支持アームの動きを示す図である。
【図６】本考案による踏み板と糸綜絖を紐で連結した図である。
【図７】本考案による地機における手織作業時の織り手と経糸の動きを示した図である
【符号の説明】
【００２７】
１    フレーム
２    支柱
３    支持アーム
４    踏み板
５    紐
６    丸棒
７    支点ピン
８    切り欠き
９    ストッパー
１０    巻き棒
１１    腰当て
１２    腰かけ
１３    男巻
１４    糸綜絖
１５    筬
１６    足引き紐
１７    まねき
１８    止め棒
１９    溝
２０    上経糸
２１    下経糸
【図１】
0003111963.tif 000003
【図２】
0003111963.tif 000004
【図３】
0003111963.tif 000005
【図４】
0003111963.tif 000006
【図５】
0003111963.tif 000007
【図６】
0003111963.tif 000008
【図７】
0003111963.tif 000009